(57)【要約】  移動電話等のユーザ通信デバイスが、機能情報を取得し、該機能情報をサービング基地局に報告する。機能情報は、近隣ＵＴＲＡＮ基地局がＨＳＰＡ／ＥＤＣＨ対応であるか否かを識別する。サービングＥ−ＵＴＲＡＮ基地局は、この情報を用いて、ハンドオーバ判定及び該基地局によって実行される負荷バランシングを制御することができる。
2013502749.tif 000002
【特許請求の範囲】
【請求項１】
自動近隣関係（ＡＮＲ）機能を持つＥ−ＵＴＲＡＮ基地局であって、
該基地局に隣接するセルのセル情報を含む近隣関係テーブル（ＮＲＴ）と、
測定制御モジュールであって、ｉ）移動通信デバイスに、該移動通信デバイスの通信範囲内の近隣セルのセル情報を取得するための要求を送信するように、ｉｉ）前記移動通信デバイスから、前記要求されたセル情報を含む報告を受信するように、かつｉｉｉ）前記移動通信デバイスから受信した前記報告に依拠して前記ＮＲＴ内に情報を格納するように、動作可能な測定制御モジュールと、を備え、
該基地局は、前記近隣セルがＨＳＰＡ及び／又はＥＤＣＨ対応であるか否かを識別するデータを受信するように動作可能であり、かつ受信した機能情報を前記ＮＲＴ内に含めるように動作可能である、自動近隣関係（ＡＮＲ）機能を持つＥ−ＵＴＲＡＮ基地局。
【請求項２】
前記基地局への及び該基地局からの移動通信デバイスのハンドオーバを制御するように動作可能なハンドオーバモジュールを更に備え、該ハンドオーバモジュールは、別の基地局への移動通信デバイスのハンドオーバを、前記ＮＲＴ内に格納された前記機能情報を用いて制御するように動作可能である、請求項１に記載の基地局。
【請求項３】
前記ハンドオーバモジュールは、前記ＮＲＴ内に格納された加入者情報及び前記機能情報を用いて前記ハンドオーバのターゲットセルを選択するように動作可能である、請求項２に記載の基地局。
【請求項４】
前記ハンドオーバモジュールは、前記移動通信デバイスによって取得された、より能力の低いセルの信号測定値が、前記移動通信デバイスによって取得されたＨＳＰＡ／ＥＤＣＨ対応セルの信号測定値よりも良好である場合であっても、前記より能力の低いセルよりも前記ＨＳＰＡ／ＥＤＣＨ対応セルを選択するように動作可能である、請求項３に記載の基地局。
【請求項５】
近隣セルとの負荷バランシングを実行するように動作可能な負荷バランシングモジュールを備え、該負荷バランシングモジュールは、前記セル機能情報を用いて近隣のＨＳＰＡ対応セルを特定するように、かつ該近隣ＨＳＰＡ対応セルとの負荷バランシング測定を開始するように動作可能である、請求項１〜４のいずれか１項に記載の基地局。
【請求項６】
近隣セルとの負荷バランシングを実行するように動作可能な負荷バランシングモジュールを備え、該負荷バランシングモジュールは、前記セル機能情報を用いて、前記近隣セルとの負荷バランシングを実行すべき該近隣セルを選択する、請求項１〜５のいずれか１項に記載の基地局。
【請求項７】
近隣セルとの負荷バランシングを実行するように動作可能な負荷バランシングモジュールを備え、該負荷バランシングモジュールは、該負荷バランシングモジュールがサービングしている移動通信デバイスをＨＳＰＡ対応移動通信デバイスと音声専用移動通信デバイスとに分離するように動作可能であり、かつ前記セル機能情報を用いて、ＨＳＰＡ対応セルへのＨＳＰＡ対応移動通信デバイスのハンドオーバ及びＨＳＰＡ非対応セルへの音声専用移動通信デバイスのハンドオーバを引き起こすように動作可能である、請求項１〜６のいずれか１項に記載の基地局。
【請求項８】
前記基地局は、前記移動通信デバイス又は該基地局に結合したノードから前記セル機能情報を受信するように動作可能である、請求項１〜７のいずれか１項に記載の基地局。
【請求項９】
移動通信デバイスであって、
１つ又は複数の基地局に対し信号を送受信するように動作可能な送受信機と、
サービング基地局から、前記送受信機を介して、近隣セルのセル情報を取得するための要求を受信するように、かつ前記送受信機によって受信される、前記近隣セルによってブロードキャストされた信号から前記セル情報を取得するように動作可能な測定モジュールと、
前記送受信機を用いて、前記サービング基地局に、前記取得したセル情報を含む報告を送信するように動作可能な報告器モジュールと、を備え、
前記受信した要求は、前記移動通信デバイスに、前記近隣セルがＨＳＰＡ及び／又はＥＤＣＨ対応であるか否かを報告するように要求し、前記測定モジュールは、前記セルによってブロードキャストされた前記信号からこの機能情報を取得するように動作可能であり、前記報告器モジュールは、前記取得したセル機能情報を、前記サービング基地局に返送される前記報告に含めるように動作可能である、移動通信デバイス。
【請求項１０】
自動近隣関係（ＡＮＲ）機能を持つＥ−ＵＴＲＡＮ基地局によって実行される方法であって、
前記基地局に隣接するセルのセル情報を近隣関係テーブル（ＮＲＴ）に格納すること、
移動通信デバイスに、近隣セルのセル情報を取得するための要求を送信すること、
前記移動通信デバイスから、前記要求されたセル情報を含む報告を受信すること、及び、
前記移動通信デバイスから受信した前記報告に依拠して前記ＮＲＴに情報を格納すること、を含み、
該方法は、前記近隣セルがＨＳＰＡ及び／又はＥＤＣＨ対応であるか否かを示すデータを受信すること、及び前記近隣セルがＨＳＰＡ及び／又はＥＤＣＨ対応であるか否かを識別する情報を、該近隣セルに関する前記ＮＲＴに格納することを更に含む、自動近隣関係（ＡＮＲ）機能を持つＥ−ＵＴＲＡＮ基地局によって実行される方法。
【請求項１１】
移動通信デバイスによって実行される方法であって、
サービング基地局から、近隣セルのセル情報を取得するための要求を受信すること、
前記近隣セルによってブロードキャストされた信号から、前記要求されたセル情報を取得すること、及び
前記取得したセル情報を含む報告を前記サービング基地局に送信すること、を含み、
前記受信した要求は、前記移動通信デバイスに、前記近隣セルがＨＳＰＡ及び／又はＥＤＣＨ対応であるか否かを報告するように要求し、前記取得することは、前記セルによってブロードキャストされた前記信号からこの機能情報を取得し、前記サービングセルに送信される前記報告は、前記取得したセル機能情報を含む、移動通信デバイスによって実行される方法。
【請求項１２】
自動近隣関係（ＡＮＲ）機能を持つＥ−ＵＴＲＡＮ基地局であって、
前記基地局に近隣するセルのセル情報を近隣関係テーブル、すなわちＮＲＴに格納する手段と、
移動通信デバイスに、近隣セルのセル情報を取得するための要求を送信する手段と、
前記移動通信デバイスから、前記要求されたセル情報を含む報告を受信する手段と、
前記移動通信デバイスから受信した前記報告に依拠して前記ＮＲＴに情報を格納する手段と、を備え、
該基地局は、前記近隣セルがＨＳＰＡ及び／又はＥＤＣＨ対応であるか否かを示すデータを受信する手段と、前記近隣セルがＨＳＰＡ及び／又はＥＤＣＨ対応であるか否かを識別する情報を、該近隣セルに関する前記ＮＲＴに格納する手段とをさらに備える、自動近隣関係（ＡＮＲ）機能を持つＥ−ＵＴＲＡＮ基地局。
【請求項１３】
移動通信デバイスであって、
サービング基地局から、近隣セルのセル情報を取得するための要求を受信する手段と、
前記近隣セルによってブロードキャストされた信号から、前記要求されたセル情報を取得する手段と、
前記取得したセル情報を含む報告を前記サービング基地局に送信する手段と、を備え、
前記受信した要求は、前記移動通信デバイスに、前記近隣セルがＨＳＰＡ及び／又はＥＤＣＨ対応であるか否かを報告するように要求し、前記取得する手段は、前記セルによってブロードキャストされた前記信号からこの機能情報を取得するように動作可能であり、前記報告を送信する手段は、前記取得したセル機能情報を含む報告を前記サービングセルに送信するように動作可能である、移動通信デバイス。
【請求項１４】
プログラム可能なコンピュータデバイスが、請求項１〜８のいずれか１項又は請求項１２に記載の基地局として構成されるか又は請求項９又は１３に記載の移動通信デバイスとして構成されるようにするコンピュータ実施可能命令を含むコンピュータ実施可能プログラム。
【発明の詳細な説明】
【技術分野】
【０００１】
本発明は、移動通信ネットワークに関し、排他的ではないが特に、３ＧＰＰ標準規格又はその均等物若しくは派生物に従って動作するネットワークに関する。
【０００２】
本出願は、２００９年８月１７日に出願された英国特許出願第０９１４３８０．１号に基づくとともに該特許出願からの優先権の利益を主張する。該特許出願の開示は参照によりその全体が本明細書に援用される。
【背景技術】
【０００３】
移動通信ネットワークは、ユーザ機器（ＵＥ）のユーザが複数の基地局のうちの１つ及びコアネットワークを介して他のそのようなユーザと通信することを可能にする。各基地局は、ネットワークの複数のセルを規定する。アクティブ状態において、ＵＥはネットワークに登録され、基地局とＲＲＣ（無線リソース制御）接続を有し、ネットワークがいずれのセルにＵＥが属するかを知り、ＵＥに対しデータを送受信することができるようにする。Ｅ−ＵＴＲＡＮと呼ばれる、ＵＴＲＡＮ（ＵＭＴＳ地上無線アクセスネットワーク）のロングタームエボリューション（ＬＴＥ）では、アクティブ状態において、ハンドオーバ手順によって、ＵＥがＬＴＥセル間で移動している間、並びにＵＴＲＡＮセル及びＧＥＲＡＮセル等の他のＲＡＴ（無線アクセス技術）のセルに移動するときに、サービス連続性を有することが可能になる。
【０００４】
Ｅ−ＵＴＲＡＮ基地局（ｅＮＢと呼ばれる）は、ソースセルがターゲットセルの存在を認識している場合のみ、ＵＥを別のＥ−ＵＴＲＡＮセルに（周波数間ハンドオーバ）又は別のＲＡＴのセルに（ＲＡＴ間ハンドオーバ）ハンドオーバすることができる。この情報は、基地局内に構成することができる。しかしながら、これを行うコスト及びこの構成情報の継続的な更新に起因して、３ＧＰＰ標準規格文書において自動手順が規定されている（ＴＳ３６．３００  Ｖ９．０．０を参照されたい）。この自動手順はＡＮＲ（自動近隣関係）と呼ばれ、ＵＥが、自身が検出したセルに関する情報をサービング基地局に提供することに依存する。本発明は特に、Ｅ−ＵＴＲＡＮ基地局の現在のＡＮＲ提案を改善することに関する。
【発明の概要】
【０００５】
本発明の例示的な一態様は、自動近隣関係（ＡＮＲ）機能を持つＥ−ＵＴＲＡＮ基地局であって、該基地局に隣接するセルのセル情報を含む近隣関係テーブル（ＮＲＴ）と；測定制御モジュールであって、ｉ）移動通信デバイスに、該移動通信デバイスの通信範囲内の近隣セルのセル情報を取得するための要求を送信するように、ｉｉ）移動通信デバイスから、要求されたセル情報を含む報告を受信するように、かつｉｉｉ）移動通信デバイスから受信した報告に依拠してＮＲＴ内に情報を格納するように、動作可能な測定制御モジュールと；を備え、該基地局は、近隣セルがＨＳＰＡ及び／又はＥＤＣＨ対応であるか否かを識別するデータを受信するように動作可能であり、かつ受信した機能情報(capability information)をＮＲＴ内に含めるように動作可能である、自動近隣関係（ＡＮＲ）機能を持つＥ−ＵＴＲＡＮ基地局を提供する。セル能力情報は、移動通信デバイスによって、若しくはオペレーション及び管理ノードによって（又はネットワーク内の或るノードから）提供することができる。
【０００６】
基地局は、該基地局への及び該基地局からの移動通信デバイスのハンドオーバを制御するハンドオーバモジュールも備え、ハンドオーバモジュールは、報告された機能情報を用いて、他の基地局への移動通信デバイスのハンドオーバを制御することができる。これは、報告された機能情報を用いてハンドオーバのターゲットセルを選択することによって達成することができる。ハンドオーバモジュールは、移動通信デバイスによって取得された、より能力の低いセルの信号測定値が、移動通信デバイスによって取得されたＨＳＰＡ／ＥＤＣＨ対応セルの信号測定値よりも良好である場合であっても、より能力の低いセルよりもＨＳＰＡ／ＥＤＣＨ対応セルを選択することができる。
【０００７】
基地局は、近隣セルのとの負荷バランシングを実行し、セル機能情報を用いて近隣ＨＳＰＡ対応セルを特定し、それらのセルとの負荷バランシング測定を開始する、負荷バランシングモジュールも備えることができる。負荷バランシングモジュールは、付加的に又は代替的に、セル機能情報を用いて、近隣セルとの負荷バランシングを実行すべき該近隣セルを選択することができる。例えば、負荷バランシングモジュールは、該負荷バランシングモジュールがサービングしている移動通信デバイスをＨＳＰＡ対応移動通信デバイスと音声専用移動通信デバイスとに分離し、次にセル機能情報を用いて、ＨＳＰＡ対応セルへのＨＳＰＡ対応移動通信デバイスのハンドオーバ及びＨＳＰＡ非対応セルへの音声専用移動通信デバイスのハンドオーバを引き起こすことができる。
【０００８】
本発明は、移動通信デバイスであって、１つ又は複数の基地局に対し信号を送受信するように動作可能な送受信機と；サービング基地局から、送受信機を介して、近隣セルのセル情報を取得することの要求を受信するように、かつ送受信機によって受信される、近隣セルによってブロードキャストされた信号からセル情報を取得するように動作可能な測定モジュールと；送受信機を用いて、サービング基地局に、取得したセル情報を含む報告を送信するように動作可能な報告器モジュールと；を備え、受信した要求は、移動通信デバイスに、近隣セルがＨＳＰＡ及び／又はＥＤＣＨ対応であるか否かを報告するように要求する、移動通信デバイスも提供する。
【０００９】
本発明は、自動近隣関係（ＡＮＲ）機能を持つＥ−ＵＴＲＡＮ基地局によって実行される方法であって、基地局の近隣にあるセルのセル情報を近隣関係テーブル（ＮＲＴ）に格納すること；移動通信デバイスに、近隣セルのセル情報を取得するための要求を送信すること；移動通信デバイスから、要求されたセル情報を含む報告を受信すること；及び移動通信デバイスから受信した報告に依拠してＮＲＴに情報を格納すること；を含み、該方法は、近隣セルがＨＳＰＡ及び／又はＥＤＣＨ対応であるか否かを示すデータを受信すること、及び対応する能力情報をＮＲＴに格納することを更に含む、自動近隣関係（ＡＮＲ）機能を持つＥ−ＵＴＲＡＮ基地局によって実行される方法も提供する。
【００１０】
本発明は、移動通信デバイスによって実行される方法であって、サービング基地局から、近隣セルのセル情報を取得するための要求を受信すること；近隣セルによってブロードキャストされた信号から、要求されたセル情報を取得すること；及び取得したセル情報を含む報告をサービング基地局に送信すること；を含み、受信した要求は、移動通信デバイスに、近隣セルがＨＳＰＡ及び／又はＥＤＣＨ対応であるか否かを報告するように要求する、移動通信デバイスによって実行される方法も提供する。
【００１１】
本発明は、本発明に従って動作するように汎用基地局及び汎用移動通信デバイスをプログラミングするためのソフトウェア及び／又はファームウェアも提供する。このソフトウェアは、記録媒体又はコンピュータネットワークから取得した信号に対し提供することができる。
【００１２】
本発明は、開示される全ての方法について、対応するユーザ通信デバイス又は基地局において実行するための対応するコンピュータプログラム又はコンピュータプログラム製品も提供する。また、本発明は、それらの方法を実施するように構成されるか、又は動作することができるユーザ通信デバイス及び基地局、並びにそれらの構成要素、並びにこれらのデバイス及び構成要素を更新する方法も提供する。
【００１３】
次に、本発明の実施形態を、例として、添付の図面を参照しながら説明する。
【図面の簡単な説明】
【００１４】
【図１】本発明の例示的な実施形態を適用することができるセルラー通信システムを概略的に示す図である。
【図２】図１に示すシステムの一部分を形成する移動電話の機能のうちのいくつかを示す機能ブロック図である。
【図３】図１に示すシステムの一部分を形成する基地局の機能のうちのいくつかを示す機能ブロック図である。
【図４】本発明の例示的な一実施形態によって提案される改善されたＡＮＲ手順を用いて実行されるシグナリングを示す図である。
【図５】ｅＮＢによって要求されたときのみＵＥ内のパラメータを報告することを示す図である。
【図６】ＵＴＲＡＮ検出セルの場合の自動近隣関係機能を示す図である。
【発明を実施するための形態】
【００１５】
図面に関して一般的に、任意の機能ブロック図が、デバイス内に存在する機能を単に示すことを意図していること、及び機能ブロック図に示される各ブロックが必ずしも個別のエンティティ又は分離したエンティティであることを意味するものと解釈されるべきでないことは理解されたい。１つのブロックによって提供される機能は分離する場合があるか、又はデバイス全体を通じて若しくはデバイスの一部の中に分散される場合がある。さらに、その機能は、適切な場合には、ハードワイヤード構成要素、ソフトウェア構成要素若しくはファームウェア構成要素、又はこれらの任意の組み合わせを組み込むことができる。
【００１６】
概説
図１は、移動電話３−０、３−１、３−２、及び３−３のユーザが基地局５−１又は５−２のうちの一方及び電話コアネットワーク７を介して他のユーザ（図示せず）と通信することができる移動（セルラー）通信システム１を概略的に示している。図１に示すシステムでは、基地局５−１はＵＴＲＡＮ基地局であり、現在、移動電話３−０をサービングしており、基地局５−２はＥ−ＵＴＲＡＮ基地局であり、現在、移動電話３−１、３−２、及び３−３をサービングしている。各基地局５は複数の基地局セルを操作し、各基地局セルは、移動電話３と対応する基地局５との間の無線通信に利用可能な複数のアップリンク通信リソース及びダウンリンク通信リソース（サブキャリア、タイムスロット等）を有する。この例示的な実施形態では、説明を簡単にするために、各基地局５は単一のセルを操作すると仮定する。基地局５は、各移動電話３に対して、その移動電話３に送信されるデータ量に依拠してダウンリンクリソースを割り当てる。同様に、基地局５は、各移動電話３に対して、その移動電話３が該基地局５に送信しなくてはならないデータ量及びデータタイプに依拠してアップリンクリソースを割り当てる。
【００１７】
移動電話３は接続モード又は接続状態及びアイドルモード又はアイドル状態を持つ。接続状態において、移動電話３は、サービング基地局５に登録され、基地局５とのＲＲＣ（無線リソース制御）接続を持ち、ネットワークがいずれのセルに移動電話３が属するかを知るようにする。Ｅ−ＵＴＲＡＮ基地局（基地局５−２等）は、自身がサービングしている接続された移動電話３に、近隣セルに対する測定を行うように要求することができ、自身の全ての近隣セルのリストを最新状態に維持することができるようにする。これを行うために、サービングＥ−ＵＴＲＡＮ基地局５−２は、移動電話３へのダウンリンク送信と移動電話３からのアップリンク送信との間の適切な測定間隔をスケジューリングし、その間隔の間に、移動電話３はＥ−ＵＴＲＡＮ基地局５−２によって要求された測定を行い、該測定について報告することができる。次に、Ｅ−ＵＴＲＡＮ基地局５−２はこの情報を用いてハンドオーバ判定を制御することができる。
【００１８】
現在のところ、移動電話３は、ＵＴＲＡＮセルについて報告するとき、該ＵＴＲＡＮセルのセルグローバルＩｄ（ＣＧＩ）、ロケーションエリアコード（ＬＡＣ）、及びルーティングエリアコード（ＲＡＣ）を報告することができる。本実施形態は、Ｅ−ＵＴＲＡＮ基地局５−２が要求することができる情報を増やすこと、特にＵＴＲＡＮセルの能力情報を含めることを提案する。より具体的には、本実施形態は、Ｅ−ＵＴＲＡＮ基地局５−２が、移動電話３に、ＵＴＲＡＮセルがＨＳＰＡ（高速パケットアクセス）及び／又はＥＤＣＨ（拡張専用チャネル）に対応しているか否かについて報告するように要求することができることを提案する。この追加情報は、基地局がより良好なハンドオーバ判定を行い、該情報を用いて負荷バランシング判定を行うことを可能にすることができる。
【００１９】
移動電話
図２は、図１に示す移動電話３の機能ブロック図である。示されているように、移動電話３は、１つ又は複数のアンテナ２３を介して基地局５に対し信号を送受信するように動作可能な送受信機回路２１を有する。移動電話３は、移動電話３及びＳＩＭ（加入者識別モジュール）２２の動作を制御するコントローラ２７を有する。コントローラ２７はメモリ２９に関連付けられており、送受信機回路２１に、並びにラウドスピーカ２８ａ、マイクロフォン２８ｂ、ディスプレイ２８ｃ、及びキーパッド２８ｄを有するユーザインターフェース２８に結合されている。図２に必ずしも示されているわけではないが、移動電話３は当然、携帯電話の全ての通常の機能を有し、この機能は適宜、ハードウェア、ソフトウェア、及びファームウェアのうちの任意の１つ又はそれらの任意の組合せで提供することができる。ソフトウェアは、メモリにプレインストールすることができ、かつ／又は電気通信ネットワークを介して、若しくは例えば取り外し可能なデータストレージデバイス（ＲＭＤ）２３からダウンロードすることができる。
【００２０】
コントローラ２７は、この例では、メモリ２９内に格納されたプログラム命令又はソフトウェア命令によって移動電話３の全体動作を制御するように構成される。示されているように、これらのソフトウェア命令は、中でも、オペレーティングシステム３１、セル選択器／再選択器モジュール３３、報告器モジュール３４、測定モジュール３５を含む。セル選択器モジュール３３は、基地局５によって提供されたセル選択／再選択パラメータに従ってセルの選択及び再選択を可能にするように動作可能である。測定モジュール３５は、測定を行い、移動電話３の範囲内にある近隣セルについての情報を取得するようにサービング基地局５によって命令された場合に、それらを行うように動作可能である。報告器モジュール３４は、近隣セルに関して取得された測定値及び情報をサービング基地局５に報告するように動作可能である。
【００２１】
図２に示すように、メモリ２９は、測定モジュール３５によって取得された情報がサービング基地局５に報告されるまで該情報を一時的に格納するデータストア３６も備える。報告される情報は、セルのセルグローバルＩＤ（ＣＧＩ）３６−１、セルのロケーションエリアコード３６−２、セルのルーティングエリアコード３６−３、及びＨＳＰＡ／ＥＤＣＨ能力情報３６−４を含む。
【００２２】
基地局
図３は、図１に示すＥ−ＵＴＲＡＮ基地局５−２の機能ブロック図を示している。示されているように、Ｅ−ＵＴＲＡＮ基地局５−２は、１つ又は複数のアンテナ４３を介して移動電話３に対し信号を送受信する送受信機回路４１と、コアネットワーク７に対し信号を送受信するネットワークインターフェース４４と、他のＥ−ＵＴＲＡＮ基地局（図示せず）に対し信号を送受信する基地局インターフェース４５とを有する。Ｅ−ＵＴＲＡＮ基地局５−２は、該基地局の動作を制御するコントローラ４７を有する。コントローラ４７はメモリ４９に関連付けられている。図３に必ずしも示されているわけではないが、Ｅ−ＵＴＲＡＮ基地局５−２は当然、携帯電話ネットワーク基地局の全ての通常の機能を有し、この機能は適宜、ハードウェア、ソフトウェア、及びファームウェアのうちの任意の１つ又はそれらの任意の組合せで提供することができる。ソフトウェアは、メモリ４９にプレインストールすることができ、かつ／又は通信ネットワークを介して、若しくは例えば取り外し可能なデータストレージデバイス（ＲＭＤ）からダウンロードすることができる。
【００２３】
コントローラ４７は、この例では、メモリ４９内に格納されたプログラム命令又はソフトウェア命令によってＥ−ＵＴＲＡＮ基地局５の全体動作を制御するように構成される。示されているように、これらのソフトウェア命令は、中でも、オペレーティングシステム５１、測定制御モジュール５２、ハンドオーバモジュール５３、及び負荷バランシングモジュール５４を含む。測定制御モジュール５２は、移動電話３に、指定の測定を行い、近隣セルに関する指定の情報を取得するように要求するように、かつ移動電話３から返された報告を受信するように動作可能である。測定制御モジュール５２は、移動電話３から返された受信情報を用いて、メモリ４９のデータストア５６内に格納された近隣関係テーブル（ＮＲＴ）５５を維持（及び更新）する。ハンドオーバモジュール５３は、現在のＥ−ＵＴＲＡＮセルから別のセルへの移動電話３のハンドオーバを制御するように動作可能である。ハンドオーバモジュール５３は、移動電話３からのセル測定情報、ＮＲＴ５５内に格納された情報、及び加入者プロファイル情報５７（これもデータストア５６内に格納されている）を用いて移動電話３の適切なターゲットセルを選択する。負荷バランシングモジュール５４は、セルの負荷情報を近隣セルに提供し、近隣セルから負荷情報を受信し、近隣セルにわたって負荷を共有するために負荷バランシング手順を実施すべきか否かについて判定を行うように動作可能である。負荷バランシングモジュール５４は、ＮＲＴ５５内に格納された情報を用いて、近隣セルを特定し、負荷バランシング手順を制御する。
【００２４】
上記の説明では、理解を容易にするために、基地局５及び移動電話３は、複数のディスクリート機能構成要素又はモジュール（測定モジュール、セル選択器モジュール、ハンドオーバモジュール、負荷バランシングモジュール、報告器モジュール等）を有するものとして説明されている。これらのモジュールは、或る特定の用途の場合、例えば、既存のシステムが本発明を実施するように変更された場合にこのように提供することができるが、他の用途では、例えば始めから本発明の特徴を念頭において設計されたシステムでは、これらのモジュールは全体オペレーティングシステム又は全体オペレーティングコードに内蔵させることができるので、これらのモジュールは別個のエンティティとして識別可能でない場合がある。
【００２５】
動作
上述したシステムの動作において、移動電話３が、発呼しているとき等、接続モードにあり、かつＥ−ＵＴＲＡＮ基地局５−２によってサービングされている場合、該基地局５−２は、移動電話３に、測定を行わせ、近隣セルに関する情報を取得するように依頼する。通常のアップリンク送信及びダウリンク送信における間隔は、移動電話３が現在の呼に干渉することなくこれらの測定を実行し、結果をサービング基地局５−２に返して報告することが可能になるように、基地局５−２によってスケジューリングされる。イベントのシーケンスが図４に示されている。示されているように、ステップ１において、サービング基地局５−２は移動電話３に近隣報告要求を送信する。この要求は、測定を行う１つ又は複数のＲＡＴ及び周波数を特定する。図４に示す例では、要求はＵＴＲＡＮ基地局５−１のみのＲＡＴ及び周波数を含む。移動電話３は、要求の受信に応答して、ステップ２において、規定されたＲＡＴに従って指定の周波数の信号測定を行い、検出されたセルの物理セルＩＤを取得する。次に、移動電話３は、ステップ３において、近隣報告応答メッセージを基地局５−２に返送する。近隣報告応答メッセージは、検出されたセルの物理セルＩＤと、検出されたセルから受信した信号の信号レベルの表示とを含む。
【００２６】
基地局５−２は、この報告の受信に応答して、ステップ４において、移動電話３に、検出されたセルのＣＧＩ、ＬＡＣ、及びＲＡＣを取得するように依頼する近隣報告要求を該移動電話３に送信することができる。この実施形態において、基地局５−２は、検出されたＵＴＲＡＮセルについて、オプションで移動電話３に、ＵＴＲＡＮセルが高速パケットアクセス（ＨＳＰＡ）が可能でありかつ／又は拡張専用チャネル（Ｅ−ＤＣＨ）を有するか否かを識別する情報を取得するように要求することもできる。ステップ５において、移動電話３は、検出されたセルのブロードキャストチャネル（ＢＣＨ）を読み取ることによって要求された情報を取得する。この情報は、ブロードキャストシステム情報の一部分として要求された情報を含む。ステップ６において、移動電話３は要求された情報を基地局５−２に返して報告し、基地局５−２はこの情報をＮＲＴ５５に格納する。
【００２７】
このため、この実施形態では、Ｅ−ＵＴＲＡＮ基地局５−２は、ＵＴＲＡＮセルがＨＳＰＡ／ＥＤＣＨ対応であるか否かに関する追加情報を提供される。次に、Ｅ−ＵＴＲＡＮ基地局５−２はこの追加情報を以下のように用いることができる。
【００２８】
ハンドオーバ判定アルゴリズム
上記で考察したように、ハンドオーバモジュール５３は移動電話３が隣接セル間を動き回っているとき、該移動電話３をハンドオーバすることに関する判定を行う。Ｅ−ＵＴＲＡＮ基地局５−２は、ハンドオーバプロセスを実行する前に、移動電話３に、（信号測定に基づいて）ハンドオーバの可能なターゲットセルを取得し、該ターゲットセルについて報告するように要求する。ハンドオーバモジュール５４は、移動電話３が２つ以上のセルを可能なターゲットとして報告した場合、上記の報告プロセスによって以前に提供された追加の機能情報を用いて、移動電話加入者プロファイル情報５７（通常ハンドオーバ時に取得される）及びターゲットセル機能に基づいて、最も適切なターゲットセルを判定することができる。このため、ターゲットセルのうちの１つがＨＳＰＡ対応のＵＴＲＡＮセルであり、かつ移動電話加入者が高速サービスに加入している場合、ハンドオーバモジュール５３は、より能力の低いセルの信号測定値が、選ばれるターゲットセルの信号測定値よりも良好である場合であっても、より能力の低いセルではなく、ＨＰＳＡ対応セルをハンドオーバのターゲットに選択することができる。
【００２９】
ＲＡＴ間負荷バランシングＳＯＮ
Ｅ−ＵＴＲＡＮ基地局５−２は、いわゆる自己組織化ネットワーク（ＳＯＮ）の一部分をなすように設計される。ＳＯＮは、干渉、信号強度、及びトラフィックの変化に基づいて、ネットワークカバレッジ、セルサイズ、周波数割当て、及び帯域幅を自動的に変更、構成、及び最適化することができる。負荷バランシングは、ネットワークが該ネットワークのセルにわたって負荷を共有することを可能にするＳＯＮの１つの態様である。負荷バランシングモジュール５４は、ＵＴＲＡＮセルに利用可能な追加の機能情報を用いて、負荷バランシング手順の行い方を変更することができる。例えば、負荷バランシングモジュール５４は、取得した機能情報を用いて近隣ＨＳＰＡ対応ＵＴＲＡＮセルを特定し、それらのセルとの負荷バランシング測定を開始することができる。代替的に、負荷バランシングモジュール５４はＥ−ＵＴＲＡＮセル及びＨＳＰＡ対応のＵＴＲＡＮセルの間でのみ負荷バランシングを実行することができる。負荷バランシングモジュール５４は、移動電話３を、高速電話、ＨＳＰＡ対応電話、及び音声専用電話に分離することができる。この場合、負荷バランシングモジュール５４及びハンドオーバモジュール５３は追加のＵＴＲＡＮ機能情報を用いて、ＨＳＰＡ対応ＵＴＲＡＮセルへのＨＳＰＡ対応電話のハンドオーバ、及びＨＳＰＡ非対応ＵＴＲＡＮセル又は他のＲＡＴセル（例えばＧＥＲＡＮセル）への音声専用電話のハンドオーバを引き起こすことができる。
【００３０】
変更形態及び代替形態
詳細な実施形態が上記で説明されてきた。当業者には理解されるように、該実施形態において実施される本発明から依然として利益を享受しながら、上記の実施形態に対する複数の変更形態及び代替形態を実施することができる。例示にすぎないが、ここで、いくつかのこれらの代替形態及び変更形態を説明する。
【００３１】
上記の例示的な実施形態では、移動電話は携帯電話である。他の通信ノード又は通信デバイスには、例えば、携帯情報端末、ラップトップコンピュータ、ウェブブラウザ等のユーザデバイスを含めることができる。
【００３２】
上記の例示的な実施形態では、移動電話は、機能情報、特にＨＳＰＡ及び／又はＥＤＣＨ機能情報を取得し、サービング基地局に報告した。代替の例示的な実施形態では、移動電話（ＵＥ）は新たなセルのセルＩＤをサービング基地局に報告することができ、そして、該サービング基地局は、新たな近隣関係が確立されたことをオペレーション及び管理（Ｏ＆Ｍ）ノードに報告することができる。Ｏ＆Ｍノードは、このメッセージの受信に応答して（又は基地局からの要求の受信に応答して）、ＨＳＰＡ及び／又はＥＤＣＨ機能情報をＮＲＴテーブルに追加するためにサービング基地局に返すことができる。このため、この例示的な実施形態では、ＨＳＰＡ及び／又はＥＤＣＨ機能情報を基地局に報告するのは移動電話ではない。
【００３３】
上記の例示的な実施形態では、かなりのソフトウェアモジュールが説明された。当業者であれば理解するように、それらのソフトウェアモジュールは、コンパイルされた形式でもコンパイルされていない形式でも提供することができ、コンピュータネットワークを介した信号として又は記録媒体上で、基地局又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局５及び移動電話３の機能を更新するために該基地局５及び移動電話３を更新するのが容易になるため、ソフトウェアモジュールの使用が好ましい。
【００３４】
種々の他の変更は当業者には明らかであり、ここでは、これ以上詳しくは説明しない。
【００３５】
３ＧＰＰ用語の用語集
ＵＥ −ユーザ機器 − 移動通信デバイス
ＲＡＴ −無線アクセス技術
ＲＡＮ −無線アクセスネットワーク
ＨＯ −ハンドオーバ
ｅＮｏｄｅＢ、ｅＮＢ − Ｅ−ＵＴＲＡＮ基地局
ＬＴＥ − （ＵＴＲＡＮの）ロングタームエボリューション
ＵＴＲＡＮ −ＵＭＴＳ地上無線アクセスネットワーク
ＵＭＴＳ −ユニバーサル移動通信システム
ＭＭＥ −モビリティ管理エンティティ
ＢＣＨ −ブロードキャストチャネル
ＲＲＣ −無線リソース制御
ＳＯＮ − 自己組織化ネットワーク
ＲＲＭ − 無線リソース管理
ＬＡＣ− ロケーションエリアコード
ＲＡＣ − ルーティングエリアコード
ＣＧＩ − セルグローバルＩＤ
ＨＳＰＡ − 高速パケットアクセス
Ｅ−ＤＣＨ − 拡張専用チャネル
【００３６】
以下は、現在提案されている３ＧＰＰ  ＬＴＥ標準規格において本発明を実施することができる方法の詳細な説明である。種々の機構が不可欠であるか、又は必要であるように記述されるが、これは、例えば、その標準規格によって課せられる他の要件に起因して、提案された３ＧＰＰ  ＬＴＥ標準規格の場合のみ当てはまる場合がある。それゆえ、ここで述べられることは、本発明を多少なりとも制限するものと解釈されるべきではない。
【００３７】
序論
この寄稿の目的は、ＵＥがＩＲＡＴ機能、すなわちＨＳＤＰＡ／ＨＳＰＡ機能を、ｅＮＢから要求されたときはいつでも報告することができるようにＡＮＲ機能を拡張することを提案することである。
【００３８】
ＩＲＡＴセル機能はＲＲＭによって用いられる。使用例のうちのいくつかが段落内でリストされる。
【００３９】
段落３は解決策の説明を与え、最終的に段落４は仕様における実施の提案である。
【００４０】
セル機能の使用
背景
現在、ＡＮＲ機能は、潜在的なターゲットＵＴＲＡＮ近隣セルについて、ＵＥによって以下のパラメータが報告されることを予見している。
・セルグローバルｉｄ
・ＬＡＣ
・ＲＡＣ
【００４１】
ｅＮＢ  ＲＲＭは、ＵＥによってＡＮＲ機能の一部分として報告することができるターゲットセル機能の知識から利益を受けることができると考えられる。
【００４２】
使用例
・ＨＯ判定アルゴリズム
・ｅＮＢは、ＵＥが２つ以上のセルを報告するとき、ＵＥ加入者プロファイル及びターゲットセル機能に基づいて最も適切なターゲットセルを判定することができる。
・ＩＲＡＴ負荷バランシングＳＯＮ
・いくつかの実施態様は、サービス連続性を保証するために、ＩＲＡＴ負荷バランシングを、ＬＴＥセルとＨＳＰＡセルとの間でのみ実行することを望む場合がある。このシナリオでは、ｅＮＢはこの情報を用いて、いずれのセルに向けてＬＢ測定を開始するかを判定することができる。
・負荷に基づくＨＯ
・或る特定の実施態様は、高速ＵＥをＨＳＰＡ対応ＵＥに、及び音声ＵＥを他のターゲットセルに分離するためにターゲットセル機能の知識から利益を受けることができる。
【００４３】
解決策及び提案
解決策
ＨＳＤＰＡ／Ｅ−ＤＣＨ機能はシステム情報ブロックタイプ５及び５ｂｉｓにおいてブロードキャストされる。周期性は構成可能であるが、通常値は６４０ｍｓである。これはＡＮＲ機能全体に良好に適合する。
【００４４】
ＵＥはｅＮＢによって要求された場合のみこのパラメータを報告する（図５）。
【００４５】
提案
上記の解決策を取り入れるように、３６．３００ステージ２仕様書を更新することを提案する。
【００４６】
ＲＡＴ間／周波数間自動近隣関係機能
図６は、ＵＴＲＡＮ検出セルの場合の自動近隣関係機能を示している。
【００４７】
ＲＡＴ間ＡＮＲ及び周波数間ＡＮＲの場合、各セルは周波数間検索リストを含む。このリストは、検索される全ての周波数を含む。
【００４８】
ＲＡＴ間セルの場合、Ｘ２はＥ−ＵＴＲＡＮについてのみ規定されているので、ＮＲＴにＮｏＸ２属性は存在しない。
【００４９】
機能は以下のように働く。
【００５０】
ｅＮＢサービングセルＡはＡＮＲ機能を有する。接続モードの間、ｅＮＢはＵＥに、他のＲＡＴ／周波数で測定を実行しセルを検出するように命令することができる。ｅＮＢは、ＵＥに測定を行うように命令し、かつそれらの測定をｅＮＢに報告するときを指示するための様々なポリシーを用いることができる。
【００５１】
１  ｅＮＢは、ＵＥに、ターゲットＲＡＴ／周波数の近隣セルを探すように命令する。これを行うために、ｅＮＢは、ＵＥがターゲットＲＡＴ／周波数の全てのセルをスキャンすることを可能にする適切なアイドル期間をスケジューリングする必要がある場合がある。
２  ＵＥはＰＣＩにターゲットＲＡＴ／周波数の検出されたセルを報告する。ＰＣＩは、ＵＴＲＡＮ  ＦＤＤセルの場合、キャリア周波数及びプライマリスクランブリングコード（ＰＳＣ）によって規定され、ＵＴＲＡＮ  ＴＤＤセルの場合、キャリア周波数及びセルパラメータＩＤによって規定され、ＧＥＲＡＮセルの場合、帯域指示子＋ＢＳＩＣ＋ＢＣＣＨ  ＡＲＦＣＮによって規定され、ＣＤＭＡ２０００セルの場合、ＰＮオフセットによって規定される。
ｅＮＢがセルのＰＣＩを含むＵＥ報告を受信する場合、以下のシーケンスを用いることができる。
３  ｅＮＢは、ＵＥに、新たに発見されたＰＣＩをパラメータとして用いて、ＧＥＲＡＮ検出セルの場合、検出した近隣セルのＣＧＩ及びＲＡＣ、ＵＴＲＡＮ検出セルの場合、ＣＧＩ、ＬＡＣ、及びＲＡＣ、並びにＣＤＭＡ２０００検出セルの場合、ＣＧＩを読み取るように命令する。周波数間の場合、ｅＮＢは、ＵＥに、新たに発見されたＰＣＩをパラメータとして用いて、周波数間検出セルのＥＣＧＩ、ＴＡＣ、及び全ての利用可能なＰＬＭＮ  ＩＤを読み取るように命令する。ＵＥは、検出されたシステム間／周波数間近隣セルのブロードキャストチャネルにおいて送信される要求された情報を見つける間、サービングセルからの送信を無視する。これを行うために、ｅＮＢは、ＵＥが、検出されたＲＡＴ間／周波数間近隣セルのブロードキャストチャネルから、要求された情報を読み取ることを可能にする適切なアイドル期間をスケジューリングする必要がある場合がある。
４  ＵＥは、新たなセル内で要求された情報を読み取った後、検出されたＣＧＩ及びＲＡＣ（ＧＥＲＡＮ検出セルの場合）、又はＣＧＩ、ＬＡＣ、及びＲＡＣ（ＵＴＲＡＮ検出セルの場合）、又はＣＧＩ（ＣＤＭＡ２０００検出セルの場合）をサービングセルｅＮＢに報告する。周波数間の場合、ＵＥは検出されたＥＣＧＩ、トラッキングエリアコード、及び全てのＰＬＭＮ  ＩＤを報告する。
５  ｅＮＢは自身のＲＡＴ間／周波数間近隣関係テーブルを更新する。
【００５２】
周波数間の場合、必要であれば、ｅＮＢはこのｅＮＢに向けた新たなＸ２インターフェースセットアップのためにＰＣＩ及びＥＣＧＩを用いることができる。Ｘ２インターフェースのセットアップはセクション２２．３．２に記載されている。
【００５３】
ＵＴＲＡＮ検出セルの場合、ｅＮＢはＵＥに、セルがＨＳＰＡ／ＥＤＣＨ対応セルであるか否かを報告することができる。
【００５４】
結論
この寄稿において、ＡＮＲ機能を、ＵＥがＵＴＲＡＮセルのターゲットセル機能も報告することができるように拡張することを提案した。
【００５５】
利益及び解決策は、セクション２及び３において強調されている。
【００５６】
この提案を検討し、ステージ２仕様書３６．３００のセクション３に取り入れることを提案する。ＬＳをＲＡＮ２に送付し、ＲＲＣ仕様における必要な変更を実施するように求めることを更に提案する。
【図１】
2013502749.tif 000003
【図２】
2013502749.tif 000004
【図３】
2013502749.tif 000005
【図４】
2013502749.tif 000006
【図５】
2013502749.tif 000007
【図６】
2013502749.tif 000008
【国際調査報告】
2013502749.tif 000009
2013502749.tif 000010
2013502749.tif 000011
2013502749.tif 000012